(57)【特許請求の範囲】
【請求項１】
吊り下げたバスケットに収容した被処理物に対し、洗浄処理と乾燥処理との少なくとも一方を施す洗浄・乾燥装置であって、
洗浄処理と乾燥処理との少なくとも一方の実施中に、前記バスケット内の被処理物を、前記バスケットの中心を上下方向に通る中心軸周りの一定周回方向に飛び跳ねさせながら移動させる周回移動振動を前記バスケットに与える振動機構を備え、
前記振動機構は、前記中心軸を挟んで対向配置した一対のバイブレータと、軸方向を垂直方向として固定した固定軸と、前記固定軸の軸方向及び回転方向に振動可能に前記固定軸に対して支持され、下端に前記バスケットが吊り下げられる振動体と、を有し、
前記一対のバイブレータは、前記固定軸を挟む前記振動体の両側面に固定され、それぞれが前記周回移動振動を前記バスケットに与えることを特徴とする洗浄・乾燥装置。
【請求項２】
前記バイブレータが遠心力振動を発生する振動モータであり、前記中心軸を挟んで対向配置した一対の振動モータの回転軸が、垂直方向の軸を通る面に対して平行で、かつ、水平方向の軸に対して傾斜して設けられると共に、一方の振動モータの回転軸を他方の振動モータの回転軸と反対の向きに傾斜させたことを特徴とする請求項１記載の洗浄・乾燥装置。
【請求項３】
前記振動機構が、前記振動体の前記固定軸の軸方向への振動に応じて弾性変形する第１弾性体と、前記振動体の前記固定軸の回転方向への振動に応じて弾性変形する第２弾性体とを備えたことを特徴とする請求項１又は２に記載の洗浄・乾燥装置。
【請求項４】
前記振動機構が、前記バイブレータの前記振動体に対する取り付け角度を可変にする構造を備えることを特徴とする請求項１〜３に記載のいずれか１つの洗浄・乾燥装置。
【発明の詳細な説明】
【技術分野】
【０００１】
本発明は、バスケットに収容した被処理物に対し、洗浄処理と乾燥処理との少なくとも一方を施す洗浄・乾燥装置及び洗浄・乾燥方法に関する。
【背景技術】
【０００２】
従来から、振動モータ（バイブレーションモータ）などのバイブレータを用いて、被洗浄物（被処理物）を収容するバスケットを振動させることで、洗浄作用や洗浄液の水切り作用などを促進させるようにした洗浄装置が知られている。
例えば、特許文献１の洗浄装置では、２つの振動モータを、それぞれの回転軸が互いに直交するように配置することで、振動板に全方向の振動を与える振動機構を有している。
【先行技術文献】
【特許文献】
【０００３】
【特許文献１】特許第２８３５４９４号公報
【発明の概要】
【発明が解決しようとする課題】
【０００４】
しかし、特許文献１の洗浄装置のように、全方向の振動を与える振動機構では、多数の被洗浄物がバスケット内に収容され、被洗浄物が上下に重なる場合に、上部にあった被洗浄物が下部に移動し、また、下部にあった被洗浄物が上部に移動するという上下反転作用が起こり難く、洗浄作用や水切り作用などを更に促進させる余地があった。
【０００５】
本発明は上記問題点に着目してなされたものであり、洗浄処理と乾燥処理との少なくとも一方を施す被処理物の上下反転作用を起こり易くし、洗浄作用（水切り作用を含む）や乾燥作用をより促進させることができる洗浄・乾燥装置及び洗浄・乾燥方法を提供することを目的とする。
【課題を解決するための手段】
【０００６】
このため、本願発明に係る洗浄・乾燥装置は、洗浄処理と乾燥処理との少なくとも一方の実施中に、バスケット内の被処理物を飛び跳ねさせながら前記バスケットの中心を上下方向に通る中心軸周りの一定周回方向に移動させる周回移動振動を前記バスケットに与える振動機構を備え、記振動機構は、前記中心軸を挟んで対向配置した一対のバイブレータと、軸方向を垂直方向として固定した固定軸と、前記固定軸の軸方向及び回転方向に振動可能に前記固定軸に対して支持され、下端に前記バスケットが吊り下げられる振動体と、を有し、前記一対のバイブレータは、前記固定軸を挟む前記振動体の両側面に固定され、それぞれが前記周回移動振動を前記バスケットに与えるようにした。
係る構成では、洗浄処理と乾燥処理との少なくとも一方の実施中に、振動機構によってバスケットに振動を与えると、バスケット内の被処理物は、飛び跳ねながらバスケットの中心を上下方向に通る中心軸周りを周回し、これにより被処理物が重なり合った部分がほぐされる。また、係る構成では、バスケットの中心を上下方向に通る中心軸を挟む両側で、周回移動振動がバスケットに与えられ、被処理物の連続的な周回移動が可能となる。そして、係る構成では、振動体は、固定軸に対して、固定軸の軸方向及び回転方向に振動可能に支持されるから、振動体は、上下方向に移動しつつ固定軸周りに回転するような振動が可能で、係る振動をバスケットに与えることで、バスケット内の被処理物を、飛び跳ねさせながらバスケットの中心を上下方向に通る中心軸周りの一定周回方向に移動させることができる。
【０００８】
また、バイブレータを、遠心力振動を発生する振動モータとし、バスケットの中心を上下方向に通る中心軸を挟んで対向配置した一対の振動モータの回転軸を、垂直方向の軸を通る面に対して平行で、かつ、水平方向の軸に対して傾斜させると共に、一方の振動モータの回転軸を他方の振動モータの回転軸と反対の向きに傾斜させることができる。
係る構成では、一対の振動モータそれぞれが、同一の周回方向に向けて被処理物を移動させる振動を発生させることが可能となる。
【００１０】
ここで、振動機構が、振動体の固定軸の軸方向への振動に応じて弾性変形する第１弾性体と、振動体の固定軸の回転方向への振動に応じて弾性変形する第２弾性体とを備えることができる。
係る構成では、固定軸の軸方向の振動が第１弾性体で緩衝され、また、固定軸の回転方向の振動が第２弾性体で緩衝される。
【００１１】
また、前記振動機構が、前記バイブレータの前記振動体に対する取り付け角度を可変にする構造を備えることができる。
係る構成では、バイブレータの振動体に対する取り付け角度を可変にすることで、バスケットに与える振動方向が変化し、これによって、被処理物を上下に振動させる力と、被処理物を周回方向に移動させる力とが相対的に変化する。
【発明の効果】
【００１３】
本願発明に係る洗浄・乾燥装置及び洗浄・乾燥方法によれば、バスケット内の被処理物を、飛び跳ねさせながらバスケットの中心を上下方向に通る中心軸周りの一定周回方向に移動させることで、被処理物の上下反転作用が起こり易くなる。
これにより、洗浄作用（水切り作用を含む）や乾燥作用が促進されるので、洗浄時間や乾燥時間を短縮してエネルギーコストを削減でき、また、処理液の水切り作用が促進されるので、洗浄液やリンス液など処理液の次行程への持ち込み量を少なくでき、例えば、洗浄、リンス、乾燥の処理を一連に行う洗浄乾燥装置では、洗浄液の消耗、リンス液の汚れを抑制して、洗浄液を及びリンス液を経済的に使用することができると共に、乾燥時間を短縮してエネルギーコストを削減できる。
【図面の簡単な説明】
【００１４】
【図１】本発明の実施形態における洗浄乾燥装置の振動機構を示す斜視図である。
【図２】本発明の実施形態における振動機構の分解斜視図である。
【図３】本発明の実施形態における振動機構の分解斜視図である。
【図４】本発明の実施形態における振動機構の分解斜視図である。
【図５】本発明の実施形態におけるバスケットを係止するフックの正面図である。
【図６】本発明の実施形態の振動機構におけるバイブレータの傾き設定を示す概略図である。
【発明を実施するための形態】
【００１５】
以下、本発明の実施の形態を図面に基づいて説明する。
図１〜図４は、実施形態における洗浄乾燥装置の振動機構を示す図である。
本実施形態において、図１〜図４に示した振動機構を適用する洗浄乾燥装置は、例えば、各種の機械部品、電子部品、文具、雑貨などの構成部品を洗浄する洗浄乾燥装置であって、被洗浄物（被処理物）を洗うための洗浄液を収容する洗浄槽と、洗浄液を被洗浄物から洗い流すためのリンス液を収容するリンス槽と、洗浄した被洗浄物を乾燥させる乾燥室とを備え、被洗浄物を収容したバスケットをコンベアに沿って洗浄槽上，リンス槽上及び乾燥室内に順次移動させ、洗浄、リンス、乾燥の処理を一連に行う洗浄乾燥装置である。
【００１６】
そして、図１〜図４に示した振動機構は、複数の被洗浄物を収容するバスケットを振動させる機構であり、洗浄槽の洗浄液にバスケットが浸漬されているとき、洗浄槽からバスケットが引き出されたとき、リンス槽のリンス液にバスケットが浸漬されているとき、リンス槽からバスケットが引き出されたとき、及び、バスケットが乾燥室に位置するときに、バスケットに振動を与える
【００１７】
以下では、図１〜図４に示した振動機構を詳細に説明する。
振動機構１００は、上部板（昇降台）２００、固定軸３００、取り付け台４００、振動体５００、バイブレータ６００を備え、被洗浄物を収容するバスケット７００に振動を与える。
上部板２００の上面には、図示省略した昇降モータで駆動される昇降用チェーン２０１が連結され、昇降モータによって上部板２００は略水平を保ったまま昇降される。
【００１８】
固定軸３００の一端には、フランジ３０１が一体的に形成され、このフランジ３０１には、固定用ボルトを挿通させる貫通孔（図示省略）が同一円周上に複数形成されている。一方、上部板２００の略中央には、フランジ３０１の貫通孔の配置及び径に対応する貫通孔（図示省略）を形成してある。
そして、フランジ３０１の貫通孔及び上部板２００の貫通孔に挿通させたボルトにナットを締め付けることによって、固定軸３００は、その軸方向を略垂直方向として、上部板２００の下面に吊り下げられるようにして固定される。
【００１９】
また、固定軸３００の下端面には、取り付け台４００を固定するための雄ねじ３０３を立設させてあり、取り付け台４００の略中央に設けた貫通孔（図示省略）に挿通させた雄ねじ３０３にナット３０４を締め付けることで、固定軸３００の下端に取り付け台４００が固定される。即ち、上部板２００、固定軸３００及び取り付け台４００は一体的に組み付けられる。
一方、振動体５００は、箱状の本体５１０と、固定軸３００を貫通させるための軸受け部５３０と、バイブレータ６００を固定すると共に、バスケット７００を着脱可能に保持する振動板５５０とを備える。
【００２０】
軸受け部５３０は、本体５１０の上面５１１の中心及び下面５１２の中心を通る軸に沿って固定軸３００を貫通させるものであり、固定軸３００が密嵌する上下一対の軸受け部５３１，５３２で構成される。
軸受け部５３１，５３２は、それぞれ一端にフランジを有する筒状部材であり、上側の軸受け部５３１は、本体５１０の上面５１１に形成した取り付け孔に筒状部を差し入れるようにし、端部のフランジを本体５１０の上面５１１にねじ止めすることで固定される。同様に、下側の軸受け部５３２は、本体５１０の下面５１２に形成した取り付け孔に筒状部を差し入れるようにし、端部のフランジを本体５１０の下面５１２にねじ止めすることで固定され、軸受け部５３１，５３２が同一軸上、即ち、本体５１０の上面５１１の中心及び下面５１２の中心を通る軸上に並ぶようにする。
【００２１】
そして、固定軸３００の下端を上側の軸受け部５３１から差し入れて、本体５１０を固定軸３００が貫通するようにし、下側の軸受け部５３２から外部に突出した固定軸３００の下端に、取り付け台４００を固定する。
上下一対の軸受け部５３１，５３２に固定軸３００を挿通させた状態で、振動体５００は、固定軸３００の軸方向に沿って上下（垂直方向）に動くことが可能で、かつ、固定軸３００周りに回転することが可能である。
【００２２】
振動板５５０は、本体５１０の左右側面にそれぞれ固定される一対の振動板５５０ａ，５５０ｂからなり、振動板５５０ａ，５５０ｂは、本体５１０に取り付けた状態で、相互に平行に対向する。
そして、振動板５５０ａの端面の上方には、バイブレータ６００ａが固定され、振動板５５０ｂの端面の上方には、バイブレータ６００ｂが固定される。即ち、振動体５００の固定軸３００を挟む両側面に、バイブレータ６００ａ，６００ｂが固定され、この一対のバイブレータ６００ａ，６００ｂを振動源として、バスケット７００を振動させる。
【００２３】
振動板５５０ａ，５５０ｂそれぞれの下端には、バスケット７００を係止するための一対のフック５５１を、振動板５５０ａ，５５０ｂの幅方向に離間させて設けてあり、左側２個、右側２個の計４個のフック５５１によって、バスケット７００を振動体５００の下方に吊り下げる。
フック５５１は、振動板５５０の端面に沿って下方に延設された後、本体５１０から離れる方向に屈曲して延設され、更に、上方に向けて屈曲されることで、略Ｊ字状に形成され、上方に向けて延びる先端部分５５１ａにバスケット７００の取っ手部７０１を引っ掛けて支持する。
【００２４】
フック５５１の先端部分５５１ａは、振動板５５０の端面に略平行な板状に形成され、先端縁の中央には、バスケット７００の取っ手部７０１の前後方向の位置決めを行うためのＶ字状の切り欠き５５１ｂを形成してある（図５参照）。
また、フック５５１に引っ掛けたバスケット７００の取っ手部７０１が、振動に伴ってフック５５１から離間することを阻止し、バスケット７００を振動板５５０ａ，５５０ｂと一体に振動させるための固定機構５５２を、振動板５５０ａ，５５０ｂに取り付けてある。
【００２５】
固定機構５５２は、バスケット７００の取っ手部７０１を、フック５５１との間に上下方向に挟み込んで固定する機構であり、フック５５１の上方に上下方向に移動可能に支持され、取っ手部７０１をフック５５１に向けて押し付ける押圧部５５２ａと、押圧部５５２ａをフック５５１に向けて押し付ける力、換言すれば、押圧部５５２ａを下方に向けて押し下げる力を発生させるエアシリンダなどのアクチュエータ５５２ｂとで構成される。
アクチュエータ５５２ｂの非動作状態では、スプリングなどの付勢手段によって、押圧部５５２ａは、移動範囲上端の初期位置（図１に示す位置）に退避し、バスケット７００の取り外し（交換）が可能となる。
【００２６】
一方、アクチュエータ５５２ｂの動作状態では、押圧部５５２ａをスプリングの付勢力に抗して押し下げる力が発生して、押圧部５５２ａがフック５５１に向けて降下し、押圧部５５２ａがバスケット７００の取っ手部７０１に突き当たると、押圧部５５２ａが取っ手部７０１をフック５５１に向けて押し付け、取っ手部７０１をフック５５１と押圧部５５２ａとの間に挟み込むことで、振動体５００（振動板５５０ａ，５５０ｂ）とバスケット７００とが一体化し、バイブレータ６００の振動が振動体５００を介してバスケット７００に伝達されるようになる。
【００２７】
バスケット７００の取っ手部７０１は、板状部材を山型に屈曲して形成され、山型の稜線方向が振動体５００の前後方向になるように取り付けられる。押圧部５５２ａの下面には、取っ手部７０１の上側形状に合わせて横断面が山型の溝５５２ｃを形成してあり、押圧部５５２ａが取っ手部７０１を押圧するときに、取っ手部７０１が押圧部５５２ａの溝５５２ｃに嵌った状態で、押圧が行われるようにしてある。
更に、取っ手部７０１の下面の幅方向中央には、山型の凹部を横断するように位置決め用の板状部材７０１ａを取り付けてある。
【００２８】
そして、バスケット７００の取っ手部７０１をフック５５１に引っ掛けるときに、フック５５１の切り欠き５５１ｂの傾斜面に板状部材７０１ａの先端が突き当たることで、板状部材７０１ａが切り欠き５５１ｂの谷部に位置するように案内され、バスケット７００の前後方向の位置が修正されるようになっている。
また、バスケット７００の取っ手部７０１をフック５５１に引っ掛けるときに、取っ手部７０１の下側の傾斜面にフック５５１の先端部分５５１ａが突き当たることで、フック５５１の先端部分５５１ａが取っ手部７０１の下側の隅部に位置するように案内され、バスケット７００の左右方向の位置が修正されるようになっている。
【００２９】
一方、バイブレータ６００ａ，６００ｂとして、本実施形態では、振動モータ（バイブレーションモータ）を用いる。振動モータは、モータの回転軸（出力軸）に対して偏心錘を取り付けることで遠心力振動を発生させる回転式バイブレータである。
尚、振動モータ（バイブレーションモータ）に代えて、ボールを圧縮空気の力で周回させたり、偏心錘の付いたタービンを圧縮空気の力で周回させたりすることで、遠心力振動を発生させるエア駆動の回転式バイブレータを用いることができる。
【００３０】
ここで、バイブレータ（振動モータ）６００ａ，６００ｂの回転軸（回転の中心軸）が、垂直方向の軸を通る面に対して平行で、かつ、水平方向の軸に対して傾斜して設けられると共に、一方のバイブレータ６００ａの回転軸が他方のバイブレータ６００ｂの回転軸と反対の向きに傾斜するように、振動板５５０ａ，５５０ｂ、換言すれば、振動体５００の固定軸３００を挟む両側面に固定される。
より具体的には、振動体５００の左側面に固定されるバイブレータ（振動モータ）６００ａは、その回転軸（回転の中心軸）が、振動板５５０ａに対して略平行であって、かつ、振動体５００の奥側（後側）に向けて下る傾斜角を有するように固定される。一方、振動体５００の右側面に固定されるバイブレータ（振動モータ）６００ｂは、その回転軸（回転の中心軸）が、振動板５５０ｂに対して略平行であって、かつ、振動体５００の手前側（前側）に向けて下る傾斜角を有するように固定される。
【００３１】
即ち、図６に示すように、バイブレータ（振動モータ）６００ａの回転軸ＡＲ１（回転の中心軸）と、バイブレータ（振動モータ）６００ｂの回転軸ＡＲ２（回転の中心軸）とは、垂直方向の投影面において相互に平行であって、振動体５００の左右方向の投影面において、バイブレータ（振動モータ）６００ａの回転軸ＡＲ１（回転の中心軸）と、バイブレータ（振動モータ）６００ｂの回転軸ＡＲ２（回転の中心軸）とが交差してＸ字をなすように、それぞれの回転軸ＡＲ１，ＡＲ２の傾斜方向を設定してある。
【００３２】
換言すれば、バイブレータ（振動モータ）６００ａ及びバイブレータ（振動モータ）６００ｂの回転軸は、振動体５００（バスケット７００）の中心軸周りの同一周回方向に向けて下る（又は上る）ように、水平方向の軸から傾斜して設けてある。
具体的には、実施形態の振動機構１００において、振動体５００（バスケット７００）を上から見たときの反時計方向の周回方向において、バイブレータ（振動モータ）６００ａ及びバイブレータ（振動モータ）６００ｂの回転軸は共に上り傾斜であり、時計方向の周回方向においては、バイブレータ（振動モータ）６００ａ及びバイブレータ（振動モータ）６００ｂの回転軸は共に下り傾斜となるように、各バイブレータ（振動モータ）６００ａ，６００ｂの回転軸の傾斜方向が設定されている。
尚、各バイブレータ（振動モータ）６００ａ，６００ｂの回転軸の水平方向の軸からの傾斜角は略同等に設定され、具体的には１５deg〜４５deg程度の傾斜角に設定してあり、図６（Ａ）に示すように、振動体５００の左右方向の投影面において、バイブレータ（振動モータ）６００ａの回転軸ＡＲ１（回転の中心軸）と、バイブレータ（振動モータ）６００ｂの回転軸ＡＲ２（回転の中心軸）とがなす角度は、３０deg〜９０deg程度に設定される。
【００３３】
振動体５００は、取り付け台４００上に、４本のコイルスプリング（第１弾性体）４０１を介して支持される。
振動体５００の本体５１０の４隅には、有底筒状のスプリング受け部５１５が、垂直方向を軸としかつ下端側が開放端となるように形成される一方、スプリング受け部５１５に位置合わせてして、取り付け台４００上に４本のコイルスプリング４０１の一端を支持させてある。そして、４本のコイルスプリング４０１の先端がスプリング受け部５１５内に挿入されるように、振動体５００と取り付け台４００とを組み付けることで、振動体５００は、取り付け台４００上に４本のコイルスプリング４０１を介して支持される。
【００３４】
これにより、振動体５００は、取り付け台４００を固定端として、コイルスプリング４０１を弾性変形させつつ固定軸３００の軸方向（上下方向）に変位可能に支持される。
また、取り付け台４００の上面の前側及び後側には、固定軸３００の接線方向に沿って対向する一対の固定板４０２ａ，４０２ｂをそれぞれ立設させてあり、一対の固定板４０２ａ，４０２ｂの間には、受圧板４０３を中間に挟んで２本のコイルスプリング（第２弾性体）４０４ａ，４０４ｂを圧縮状態で介在させてある。
【００３５】
受圧板４０３の上端には、振動体５００の本体５１０の下面に受圧板４０３を固定するための取り付け板４０５が一体的に設けられ、この取り付け板４０５を本体５１０の下面に固定することで、振動体５００が固定軸３００周りの回転方向に振動したときに、受圧板４０３の固定板４０２ａ，４０２ｂの間での位置が変化することで、２本のコイルスプリング４０４ａ，４０４ｂの一方が伸び、他方が縮むように構成してある。
バスケット７００は、パイプ状の部材を格子状に組み合わせて形成したフレーム部材７０２と、フレーム部材７０２よりも細かく、被洗浄物を落下させることなく、かつ、洗浄液やリンス液の出入りを許容するような格子の金網などで形成され、被洗浄物を収容する洗浄容器７０３とからなる。
【００３６】
フレーム部材７０２には、振動体５００のフック５５１に引っ掛けて、バスケット７００を振動体５００の下方に吊り下げるための取っ手部７０１を形成してある。
取っ手部７０１は、フレーム部材７０２の左右端面から上方に向けて延設されるステー部７０１ｂと、板状部材を山型に屈曲して形成され、ステー７０１の先端にステー７０１よりも内側に位置するように取り付けた取っ手本体７０１ｃとから構成され、取っ手本体７０１ｃに、前述の位置決め用の板状部材７０１ａを設けてある。
【００３７】
そして、バスケット７００を振動体５００の下部に吊り下げる場合には、固定機構５５２の押圧部５５２ａとフック５５１の先端部分５５１ａとの間隙の高さに取っ手本体７０１ｃが位置するように、バスケット７００を振動体５００の前面側の空間で持ち上げ、その高さを保ったまま、バスケット７００を後方に向けてスライドさせることで、各押圧部５５２ａと先端部分５５１ａとの間に取っ手本体７０１ｃが位置するようにする。
その後、バスケット７００を下降させることで、取っ手本体７０１ｃの下側がフック５５１の先端部分５５１ａで支えられるようにし、更に、押圧部５５２ａを下降させて、押圧部５５２ａと先端部分５５１ａとの間に取っ手本体７０１ｃを挟み込んで固定する。尚、バスケット７００の振動体５００からの取り外しは、上記とは逆の手順で行われる。
【００３８】
被洗浄物を収容したバスケット７００を、振動体５００の下部に吊り下げると、昇降モータで、上部板（昇降台）２００と共に、固定軸３００、取り付け台４００、振動体５００、バイブレータ６００を一体的に降下させることで、洗浄槽やリンス槽中にまでバスケット７００を降下させてバスケット７００を洗浄液やリンス液中に浸漬させ、このときにバイブレータ６００でバスケット７００引いてはバスケット７００に収容させた被洗浄物を振動させ、振動状態で洗浄処理やリンス処理を実施させる。
また、洗浄槽やリンス槽からバスケットを引き上げて次工程に移行させる場合も、バイブレータ６００でバスケット７００を振動させ、更に、乾燥室において、バスケット７００の被洗浄物に熱風を吹き付けて乾燥させる場合にも、バイブレータ６００でバスケット７００を振動させる。
【００３９】
以下では、上記振動機構の作用及び効果を説明する。
バイブレータ（振動モータ）６００ａ，６００ｂは遠心力振動を発生するが、各回転軸を前述のように水平から傾けて固定してあるために、回転軸を含む垂直平面上で、バイブレータ（振動モータ）６００ａは、振動体５００の後側上方に向かって斜めに突き上げる振動成分を含み、バイブレータ（振動モータ）６００ｂは、振動体５００の前側上方に向かって斜めに突き上げる振動成分を含む。
【００４０】
一方、振動体５００は固定軸３００に対して、上下方向及び回転方向に変位可能に支持されているから、各バイブレータ（振動モータ）６００ａ，６００ｂの斜め上方に突き上げる振動成分は、上から見たときに、振動体５００を固定軸３００周りに時計方向にねじりながら上昇させる突き上げ振動として作用する。
そして、バスケット７００の固定軸３００を挟む左右端は、振動体５００の固定軸３００を挟む左右端に吊り下げられているから、バスケット７００には、振動体５００と同様に、固定軸３００周りにねじりながら上昇する突き上げ振動が与えられることになる。
【００４１】
ここで、固定軸３００周りにねじる振動を与えることで、２本のコイルスプリング４０４ａ，４０４ｂの一方が伸び、他方が縮むことで、ねじり状態から復帰させようとする弾性復帰力が作用し、ねじり振動を増幅させることができる。
そして、バスケット７００に収容される被洗浄物は、バスケット７００の中心軸を挟んで対向配置されたバイブレータ（振動モータ）６００ａ，６００ｂそれぞれによって前述の突き上げ振動が与えられることで、上から見てバスケット７００の中心軸（固定軸３００）周りの時計方向（一定周回方向）に飛び跳ねながら連続的に移動する。
【００４２】
尚、バイブレータ（振動モータ）６００ａ，６００ｂの回転軸の傾き方向を、実施形態の方向と逆にすれば、バスケット７００に収容される被洗浄物は、上から見てバスケット７００の中心軸（固定軸３００）周りの反時計方向（一定周回方向）に飛び跳ねながら移動することになる。
【００４３】
上記のように、被洗浄物がバスケット７００内を飛び跳ねながら時計方向（又は反時計方向）に移動するような周回移動振動を与えれば、被洗浄物がバスケット７００内で上下に重なって複数収容される場合に、上部にあった被洗浄物が下部に移動し、また、下部にあった被洗浄物が上部に移動するという上下反転作用が、被洗浄物がバスケット７００内で略一定位置を保持する振動（例えば全方向振動）を与える場合に比べて起こり易くなり、洗浄（脱脂）作用、リンス作用をより促進させることができ、洗浄時間やリンス時間を短縮することができる。
【００４４】
また、洗浄液又はリンス液に被洗浄物を浸漬させている状態からバスケット７００を引き上げたときに、前述の周回移動振動を与え、被洗浄物がバスケット７００内を飛び跳ねながら時計方向（又は反時計方向）に移動するようにすれば、水切り作用が促進される。これにより、リンス槽への洗浄液の持ち込み量が減り、洗浄液の消耗を抑制できると共に、リンス液が洗浄液で汚れることを抑制でき、以って、洗浄液及びリンス液を経済的に使用でき、更に、乾燥室での乾燥時間を短縮して、エネルギーコストを削減できる。
【００４５】
尚、一対のバイブレータを振動体５００の前後に配置しても良いし、また、左右及び前後にそれぞれバイブレータを配置することができる。ここで、上記実施形態と同じ方向に被洗浄物を周回移動させる場合、振動体５００の後側に配置するバイブレータ（振動モータ）６００の回転軸は、左側上がりに傾斜させ、振動体５００の前側に配置するバイブレータ（振動モータ）６００の回転軸は、右側上がりに傾斜させればよい。
また、バイブレータは、振動モータのような遠心力振動を発生させる回転式バイブレータに限定されず、ピストンを往復動させる往復動式バイブレータを用いることができる。往復動式バイブレータを用いる場合、バスケット７００内で被洗浄物を周回させたい方向に向けて、往復動方向を垂直から傾ければよい。
【００４６】
また、バスケット７００として被洗浄物を載せる部分を丸型とした筒状のバスケットを用いることができ、この場合、振動体５００も円筒状に形成し、係る円筒状振動体の周壁に、固定軸３００を挟んで一対のバイブレータを配置したり、例えば１２０degの等間隔で３箇所にバイブレータを設置したりすることができる。
このように、円筒状の振動体５００を用いる場合には、バイブレータ６００の回転軸（往復動式バイブレータの往復動方向）が、振動体５００の接線方向と平行になるように、バイブレータ６００を取り付ける。
また、回転式バイブレータの回転軸の傾き、及び、往復動式バイブレータの往復動方向の傾きは、被洗浄物を周回方向に移動させる力と、上方に飛び跳ねさせる力とを相対的変化させることになり、回転式バイブレータの回転軸を水平に近づけ、また、往復動式バイブレータの往復動方向を垂直に近づけると、被洗浄物の上への飛び跳ね高さが増える一方で周回方向への飛び跳ね距離が減り、被洗浄物は、バスケット７００内で高く飛び跳ねながら比較的ゆっくりした速度で周回することになる。
【００４７】
一方、回転式バイブレータの回転軸を垂直に近づけ、また、往復動式バイブレータの往復動方向を水平に近づけると、被洗浄物の上への飛び跳ね高さが減る一方で周回方向への飛び跳ね距離が増え、被洗浄物は、バスケット７００内で低く飛び跳ねながら比較的速い速度で周回することになる。
尚、飛び跳ね高さや周回速度は、被洗浄物の重さなどによっても異なり、また、上下反転作用の起こり易さに最適な飛び跳ね高さや周回速度は、被洗浄物の種類（重さ・形状など）によって異なる場合があるので、回転式バイブレータの回転軸の傾き（往復動式バイブレータの往復動方向の傾き）、換言すれば、バイブレータ６００の取り付け角度を、連続的或いは段階的に変化させることができる構造を備えることが好ましい。
【００４８】
バイブレータ６００の軸の傾き（取り付け角度）を可変とする構造としては、バイブレータ６００を固定するために振動板５５０ａ，５５０ｂに設けるボルト貫通孔として、バイブレータ６００を固定したときの傾き角度が相互に異なる複数組の貫通孔を予め設けておき、ボルト固定に用いる貫通孔を選択することで、バイブレータ６００の軸の傾き（取り付け角度）を、複数段階に切り替える構造などを適宜採用できる。
また、本願発明に係る振動機構を適用する洗浄・乾燥装置は、洗浄、リンス、乾燥を一連して行う洗浄乾燥装置に限定されるものではなく、洗浄処理のみを行う洗浄装置、リンスのみを行う洗浄装置、洗浄処理及びリンス処理を含む洗浄処理を行う洗浄装置、乾燥のみを行う乾燥装置にも適用できる。また、洗浄槽内の洗浄液やリンス槽内のリンス液中に浸漬させて洗浄・リンス処理を行わせる洗浄・乾燥装置の他、洗浄液やリンス液のシャワー中で被洗浄物を振動させる洗浄・乾燥装置にも適用することができる。
【００４９】
また、上記実施形態では、振動体５００の下部にバスケット７００を吊り下げたが、振動体の上部にバスケット７００を保持させることができる。
更に、バスケット７００に収容した被洗浄物の上下反転作用を更に促進させるために、バスケット７００の被洗浄物を乗せる面や内周壁などに、凹凸や傾斜面や邪魔板などを設けることができる。
【符号の説明】
【００５０】
１００    振動機構
２００    上部板（昇降台）
３００    固定軸
４００    取り付け台
４０１    コイルスプリング（第１弾性体）
４０４ａ，４０４ｂ    コイルスプリング（第２弾性体）
５００    振動体
６００ａ，６００ｂ    バイブレータ
７００    バスケット
【図１】
0005486627.tif 000002
【図２】
0005486627.tif 000003
【図３】
0005486627.tif 000004
【図４】
0005486627.tif 000005
【図５】
0005486627.tif 000006
【図６】
0005486627.tif 000007